(57)【要約】【課題】夜景撮影時などにおいても、手ぶれの影響を軽減した画像が撮影できるカメラを提供すること。【解決手段】手ぶれが生じていることをセンサアレイ３ａ，３ｂから出力される像信号に基づいてＣＰＵ１が判定する。手ぶれが生じていると判定した場合には、ＣＰＵ１が、現在の撮影シーンが夜景シーンであるか否かを判定し、現在の撮影シーンが夜景シーンであると判定した場合には、露出制御部５を制御して、シャッタスピードの短縮に制限を設ける。【選択図】図１
2008146088.tif 000002
【特許請求の範囲】
【請求項１】
カメラの振動を検出する振動検出手段と、
被写体の明るさを検出して露出量を決定する露出決定手段と、
現在行われている撮影が夜景または夜景に類する夜景相当シーンの撮影であるか否かを判定する判定手段と、
上記振動検出手段による振動検出結果と上記判定手段による判定結果に従って、上記露出決定手段によって決定された露出量を変更する変更手段と、
を具備することを特徴とするカメラ。
【請求項２】
上記変更手段は、上記判定手段によって現在の撮影が夜景または夜景に類する夜景相当シーンの撮影でないと判定され、かつ、上記振動検出手段によって検出した振動が大きい時に、上記露出決定手段によって決定された露出量を所定の露出量まで減少するように制御することを特徴とする請求項１に記載のカメラ。
【請求項３】
写真画面内の複数ポイントの明るさを測定する測光手段を更に具備し、
上記変更手段は、上記判定手段によって現在行われている撮影が夜景または夜景に類する夜景相当シーンの撮影であると判定され、かつ、上記振動検出手段によって検出した振動が大きい時に、上記測光手段によって測定された複数のポイントのうち、最も明るい明るさを出力したポイントの明るさに応じて露出量を変更することを特徴とする請求項２に記載のカメラ。
【請求項４】
上記変更手段によって上記露出量が変更される際に撮影者に警告を与える警告手段と、
上記振動検出手段による振動検出結果と上記判定手段による判定結果に従って、上記警告手段を制御する警告制御手段と、
を更に具備することを特徴とする請求項１に記載のカメラ。
【発明の詳細な説明】
【技術分野】
【０００１】
本発明は、手ぶれ防止機能を有するカメラに関する。
【背景技術】
【０００２】
撮影者が手でカメラをホールディングして撮影する際に、露出中にカメラが揺れてしまい失敗写真となる、所謂、「手ぶれ」が発生する場合がある。
【０００３】
このような手ぶれ防止の技術においては、振動検出センサを用いて振動を検出した時に警告表示を出す特許文献１に開示されている技術や、振動検出にオートフォーカス（ＡＦ）用のセンサを用いる特許文献２に開示されている技術、更には、撮影中に手ぶれの判定を行い、手ぶれと判定された回数によって露出時のシャッタスピードを決定する特許文献３に開示されている技術など、様々な技術が提案されている。
【特許文献１】特公昭６２−３７７７１号公報
【特許文献２】特公昭６２−２７６８６号公報
【特許文献３】特許第２８３８２９６号公報
【発明の開示】
【発明が解決しようとする課題】
【０００４】
しかしながら、上記特許文献１に開示されている技術のように、カメラの振動状態を警告するだけでは、撮影者がその警告に気づかない場合や、警告がなされていても手ぶれの対策を行わなかった場合には、手ぶれの影響を軽減する効果は撮影した画像上に現れない。
【０００５】
また、上記特許文献３に開示されている技術のように、手ぶれを検出した場合に露出時のシャッタスピードを変化させることにより手ぶれの影響を軽減する場合には、シャッタスピードの短縮によって撮影時の露出量が不足してしまうことがある。特に夜景撮影時などでは、撮影を行っても全く何も写っていない画像が得られ、撮影者が十分に満足する写真が撮影できない場合がある。
【０００６】
本発明は、上記の事情に鑑みてなされたもので、夜景撮影時や夜景に類する夜景相当シーンを撮影する場合などにおいても、手ぶれの影響を軽減した画像が撮影できるカメラを提供することを目的とする。
【課題を解決するための手段】
【０００７】
上記の目的を達成するために、本発明によるカメラは、カメラの振動を検出する振動検出手段と、被写体の明るさを検出して露出量を決定する露出決定手段と、現在行われている撮影が夜景または夜景に類する夜景相当シーンの撮影であるか否かを判定する判定手段と、上記振動検出手段による振動検出結果と上記判定手段による判定結果に従って、上記露出決定手段によって決定された露出量を変更する変更手段とを具備することを特徴とする。
【発明の効果】
【０００８】
本発明によれば、夜景か夜景に類する夜景相当シーンの撮影時などにおいても、手ぶれの影響を軽減した画像が撮影できるカメラを提供することができる。
【発明を実施するための最良の形態】
【０００９】
以下、本発明の実施の形態を図面を参照して説明する。  
［第１の実施の形態］
図１（Ａ）は、本発明の第１の実施の形態に係るカメラのブロック構成図である。即ち、本第１の実施の形態に係るカメラは、演算制御部（ＣＰＵ）１、受光レンズ２ａ，２ｂ、センサアレイ３ａ，３ｂ、アナログ／デジタル（Ａ／Ｄ）変換部４，８、露出制御部５、撮影レンズ６、撮像素子７、画像処理部９、メモリ１０、スイッチ１１ａ，１１ｂ、及び警告部１２、を含んで構成される。
【００１０】
ここで、ＣＰＵ１は、特許請求の範囲に記載の輝度差測定手段、モード切換手段、露出決定手段、判定手段、変更手段、及び警告制御手段の機能を含む。また、センサアレイ３ａ，３ｂは、特許請求の範囲に記載の輝度差測定手段、振動検出手段及び測光手段に、警告部１２は、特許請求の範囲に記載の警告手段の機能を含む。
【００１１】
なお、図１（Ａ）はデジタルカメラを想定して図示しているが、撮像素子７、画像処理部９、メモリ１０をフィルムに置き換えることにより、本実施の形態をフィルムカメラに適用することもできる。
【００１２】
被写体１３の撮影時には、撮影レンズ６のピント合わせを行う。更に、撮影レンズ６を介して撮像素子７に受光する被写体１３の像を撮像素子７の所定のダイナミックレンジに収めるために露出を行う。
【００１３】
まず、撮影レンズ６のピント合わせ時の制御について説明を行う。  
被写体１３の光分布１３ａ，１３ｂは、図１（Ａ）に示す一対の受光レンズ２ａ，２ｂを介して一対のセンサアレイ３ａ，３ｂ上に結像する。一対のセンサアレイ３ａ，３ｂは、積分コンデンサなどからなる積分回路を含んで構成されている。そして、センサアレイ３ａ，３ｂに含まれる積分回路は、センサアレイ３ａ，３ｂ上に結像した光分布１３ａ，１３ｂを積分することにより一対の電気的像信号に変換する。そして、これら一対の像信号をＡ／Ｄ変換部４においてデジタル信号化する。このようにデジタル信号化された一対の像信号は、ワンチップマイクロコンピュータ等からなるＣＰＵ１に出力される。
【００１４】
ＣＰＵ１では、入力された一対のデジタル像信号の比較を行う。つまり、一対の受光レンズ２ａ，２ｂの視差Ｂによって、被写体１３の光分布１３ａ，１３ｂは、それぞれセンサアレイ３ａ，３ｂ上の異なる位置に結像する。そこで、デジタル像信号を比較することにより、受光レンズ光軸基準の基線長方向における相対位置差ｘを検出すれば、
Ｌ＝Ｂｆ／ｘ
の関係で示される三角測距の原理式によって被写体距離Ｌを算出することができる。但し、ｆは受光レンズの焦点距離であり、視差Ｂと共に固定の値を持つものとする。  
こうして算出された被写体距離Ｌに基づいて、ＣＰＵ１は撮影レンズ６のピント合わせ制御を行う。
【００１５】
また、被写体１３の明るさは、センサアレイ３ａ，３ｂを用いて算出する。なお、センサアレイ３ａ，３ｂの視野は、図１（Ｂ）に示す撮影画面２０内において、モニタ範囲３ｃとして表される領域である。また、この図１（Ｂ）は、例えばセンサアレイ３ａについて示したものである。以後の説明もセンサアレイ３ａについてのみ行うが、センサアレイ３ｂに対する説明は、以後の説明において「センサアレイ３ａ」を「センサアレイ３ｂ」に置き換えれば良い。
【００１６】
センサアレイ３ａの各画素は、入射した光量に応じた大きさの信号を出力する。このため、各画素の出力信号を加算することによって画面内の所定領域の平均的な明るさを算出できる。この明るさの平均値に基づいて、ＣＰＵ１が、シャッタ等を含んで構成される露出制御部５の制御を行うことにより、被写体１３を適正な露出量で撮影することができる。
【００１７】
次に、被写体１３の画像を撮影する場合の制御についての説明を行う。  
撮影は、例えば、デジタルカメラの場合は、図１（Ａ）に示す、ＣＣＤ等からなる撮像素子７に受光した被写体１３の像をＡ／Ｄ変換部８において、Ａ／Ｄ変換してデジタル信号化する。そして、デジタル信号化した被写体１３の像を画像処理部９において、γ補正や画像圧縮などの処理を行った後、メモリ１０に記憶させる。また、フィルムカメラの場合には、ＣＰＵ１が露出制御部５に含まれる図示しないシャッタを制御して、撮影レンズ６、図示しないシャッタを介して所定時間だけ導かれた被写体１３の像を図示しないフィルムに感光させる。
【００１８】
なお、フィルムカメラ及びデジタルカメラの何れの場合でも、ＣＰＵ１が、撮影者によるスイッチ１１ａ，１１ｂのＯＮ操作を判定した場合に前述した撮影シーケンス用のプログラムを実行して、被写体距離の算出、平均明るさの算出、及び露出といった一連の動作を行わせる。
【００１９】
以上のような構成を持つカメラにおいて手ぶれが発生した場合には、手ぶれの状態に応じてセンサアレイ３ａがモニタする場所が変化する。例えば、図２（Ａ）に示すシーンにおいては、被写体である人物１３の頭部をモニタしていたセンサアレイ３ａのモニタ領域３ｃが、手ぶれの発生によって、撮影画面２０の上下左右方向に移動する。このとき、センサアレイ３ａの出力は手ぶれの周期に応じて時間的に変化する。
【００２０】
図３（Ａ）は、撮影者の手が左右方向にぶれた場合のセンサアレイ３ａの出力を示す。撮影者の手が左右方向にぶれた場合には、所定の時間差（一般に、手ぶれの間隔は５Ｈｚ乃至１０Ｈｚと言われているので、例えば、１００ｍｓｅｃの時間差をおく。）をおいて得られる２つの像信号Ｉ１、Ｉ２は、図３（Ａ）に示すように変化する。つまり、変化前の像信号に対して変化後の像信号がセンサアレイ３ａの並び方向にずれて変化する。そこで、この２つの像信号Ｉ１、Ｉ２の間の一致度を検出すれば、左右方向の手ぶれの大きさを判定することができる。なお、２像の一致度から手ぶれの大きさ判定するには、センサアレイ３ａの各画素において、手ぶれ発生前の像信号と手ぶれ発生後の像信号の差の絶対値を取って、それらを全て加算した値により判定すれば良い。つまり、この差の絶対値を全て加算した値が「０」であれば手ぶれが生じていないと判定する。または、差の絶対値を全て加算した値が所定値よりも小さい場合に、手ぶれの影響が小さいと判定しても良い。
【００２１】
一方、図３（Ｂ）は、撮影者の手が上下方向にぶれた場合のセンサアレイ３ａの出力を示す。撮影者の手が上下方向にぶれた場合には、人物１３の頭部をモニタしていたセンサアレイ３ａが他の部位をモニタすることになるので、所定の時間差をおいて得られる像信号Ｉ１、Ｉ２は、像信号の形状そのものが変化しうる。つまり、この２つの像信号Ｉ１、Ｉ２の一致度を検出することにより、手ぶれの大きさを判定することができる。なお、２像の一致度の算出方法については、前述した方法と同様であるので説明を省略する。
【００２２】
このような方法により、手ぶれが大きいと判定された場合には、シャッタスピードを短くして撮影を行うように露出制御部５を制御する。シャッタスピードを短くすることによって生じる、適正露出からの露出量の誤差は、例えば、ネガフィルム写真の場合、フィルムのラチチュードによって約１段は許容することができる。また、電子画像の場合でも、所定量の誤差までは画像処理によって補正するこが可能である。
【００２３】
なお、図２（Ａ）に示す昼光下のスナップ写真撮影時などで前述した「適正露出」を行う場合には、一般に背景と人物との平均的な明るさに基づいて露出量を決定する、所謂、「平均測光」によって撮影レンズ６の絞りや、シャッタスピードを制御する。図４（Ａ）に昼光下においてセンサアレイ３ａが出力する像信号形状、即ち、積分回路の積分量を示す。平均測光により明るさ決定する場合には、センサアレイ３ａの出力像信号の平均値に従って、撮影画面２０から入射する平均明るさを求める。例えば、所定時間だけ、センサアレイ３ａの各画素の出力電流を積分し、その積分量の平均値に基づいて露出制御を行う。
【００２４】
このような昼光下における撮影では、前述したようにしてシャッタスピードを短くして撮影を行っても、完全に暗い画像が得られることは殆どない。しかし、図２（Ｂ）に示すような夜景シーンでは、露出される光が、窓の明かりやネオン照明などの点光源状であり、その他の撮影画面の大部分が暗闇であるので、余りに露出時間を短くしてしまうと、露出制御が行われたか否かが分からない程、画面全体が真っ暗な画像が撮影されてしまう。
【００２５】
従って、本実施の形態では、夜景撮影時には、前述したようなシャッタスピードの短縮を行う際に制限を設ける。図４（Ｂ）に、夜景時においてセンサアレイ３ａが出力する像信号形状、即ち、積分量を示す。夜景シーンでは、前述したように撮影画面の大部分が暗いので、所定時間積分しても積分開始レベルから殆ど変化はなく、窓の明かりやネオンなどの照明からの光が入射したポイントのみ積分が進む。このような状況においては、少なくとも最も強い光源からの積分量（図４（Ｂ）のＭＡＸ光量）に応じた露出制御を行わないと撮影した画像が真っ暗になってしまう。
【００２６】
そこで、本実施の形態においては、図５に示すフローチャートに従った制御を行う。つまり、手ぶれを判定した場合にシャッタスピードを短縮するカメラにおいて、夜景撮影時には、シャッタスピードの短縮に制限を設けることにより、画面に何も写らなくなってしまうことを防止する。また、手ぶれがあると判定され、かつ、撮影シーンが夜景シーンであるとＣＰＵ１が判定した場合には、ＣＰＵ１が、ＬＥＤ等からなる警告部１２を制御して撮影者に警告を行うが、この制御については図５では省略している。
【００２７】
なお、撮影シーンが夜景であるか否かを判定する方法としては、撮影者の任意の操作で切り換えることができるスイッチを操作して「夜景モード」を設定するようにしても良いし、また、図４（Ｂ）に示すセンサアレイ３ａの出力する像信号の形状に基づいてカメラ内のＣＰＵ１等が所定の演算を行うことにより、自動的に判定するようにしても良い。例えば、全体の積分量が少なく、するどいコントラストを形成する光入射がある場合には、夜景シーンと判定する。
【００２８】
図５を参照して、本実施の形態に係るカメラの撮影制御について説明する。なお、このカメラの撮影制御はＣＰＵ１が内蔵のプログラムを実行することにより行われるものである。  
まず、ＣＰＵ１内の図示しないＲＡＭに記憶されている手ぶれ判定用のフラグ（以下、手ぶれフラグと称する。）をリセットする（ステップＳ１）。次に、センサアレイ３ａ，３ｂを所定時間積分制御して像信号Ｉ１を検出する（ステップＳ２）。そして、この検出した像信号Ｉ１をＡ／Ｄ変換部４においてデジタル信号化する。
【００２９】
次に、ステップＳ２で検出した積分量の平均値を算出して平均明るさを算出する測光動作を行う（ステップＳ３）。これは前述した積分量の平均値、即ち、平均明るさを求めるプロセスに相当する。そして、この算出した平均明るさに基づいて、露出時間ｔＥを算出する（ステップＳ４）。
【００３０】
次に、積分量の最大、即ち、ＭＡＸ光量を検出し（ステップＳ５）、このＭＡＸ光量が所定量露出されるような露出時間ｔＬを算出する（以下、ｔＬをリミット時間と称する。）（ステップＳ６）。このリミット時間ｔＬの間だけ露出を行えば、夜景時でも画面全体が真っ暗な写真になることはない。
【００３１】
次に、デジタル化した像信号より、前述した三角測距を用いて被写体距離Ｌを算出する（ステップＳ７）。そして、この被写体距離Ｌからピント合わせ距離を求めて、このピント合わせ距離に応じて撮影レンズ６を駆動制御する（ステップＳ８）。
【００３２】
次に、図示しない露出用のタイマのカウントｔをリセットした後、露出を開始する（ステップＳ９）。また、露出の開始と同時に露出用タイマの計時を開始する（ステップＳ１０）。次に、露出用タイマのカウントｔが前述のｔＥに達したか否かを判定する（ステップＳ１１）。露出用タイマのカウントｔがｔＥに達していないと判定した場合には、ステップＳ１２以後の手ぶれ対策の制御を行う。一方、露出用タイマのカウントｔがｔＥに達したと判定した場合には、露出を終了した後（ステップ２０）、本フローチャートの撮影制御を終了する。
【００３３】
次に、ステップＳ１２以後の手ぶれ対策の制御について説明する。上記ステップＳ１１の判定において、露出用タイマのカウントｔがｔＥに達していないと判定した場合には、所定時間が経過したか否かを判定する（ステップＳ１２）。所定時間が経過していないと判定した場合には、所定時間が経過するまで待機する。
【００３４】
一方、上記ステップＳ１２の判定において、所定時間が経過したと判定した場合には、現在の像信号Ｉ２を検出する（ステップＳ１３）。次に、像信号Ｉ１と像信号Ｉ２とを比較して像信号Ｉ１と像信号Ｉ２とが一致しているか否かを判定する（ステップＳ１４）。なお、この像信号の比較は、１回目はステップＳ２で検出した像信号Ｉ１と像信号Ｉ２とで比較するが、２回目以降は１回前に検出した像信号Ｉ２を新たな像信号Ｉ１として現在の像信号Ｉ２と比較する。
【００３５】
上記ステップＳ１４の判定において、像信号Ｉ１と像信号Ｉ２とが一致していると判定した場合には、そのままステップＳ１６に進む。一方、像信号Ｉ１と像信号Ｉ２とが一致していないと判定した場合には、手ぶれ判定フラグをセットした後（ステップＳ１５）、ステップＳ１６に進む。
【００３６】
なお、ここでは、説明を単純化するため、像信号Ｉ１と像信号Ｉ２とが一致しているか否か、即ち、Ｉ１＝Ｉ２という式でフローチャートに図示しているが、実際には、前述したように各画素の差の絶対値を加算した値を所定値と比較して、所定値よりも大きい場合にステップＳ１５に分岐するようにしても良い。この所定値は、撮影時の画角等によって切り換えるもので、画角が狭いときには小さくする。一方、画角が広いときには、所定値を大きくする。
【００３７】
次に、上記ステップＳ１５で手ぶれ判定フラグがセットされたか否かを判定する（ステップＳ１６）。手ぶれ判定フラグがセットされていないと判定した場合には、上記ステップＳ１１に戻る。一方、上記ステップＳ１６の判定において、手ぶれ判定フラグがセットされたと判定した場合には、現在の撮影シーンが夜景であるか否かを判定する（ステップＳ１７）。
【００３８】
上記ステップＳ１７の判定において、夜景であると判定した場合には、露出用タイマのカウントｔが前述のリミット時間ｔＬを超えたか否かを判定する（ステップＳ１８）。露出用タイマのカウントｔが前述のリミット時間ｔＬを超えていないと判定した場合には、上記ステップＳ１１に戻る。一方、露出用タイマのカウントｔが前述のリミット時間ｔＬを超えたと判定した場合には、露出を終了した後（ステップＳ２０）、本フローチャートの撮影制御を終了する。
【００３９】
一方、上記ステップＳ１７の判定において、夜景でないと判定した場合には、シャッタスピードが短くなるように適正な露出時間の半分の時間で露出を終了させる。つまり、露出用タイマのカウントｔがｔＥ／２を超えていないか否かを判定する（ステップＳ１９）。露出用タイマのカウントｔがｔＥ／２を超えていないと判定した場合には、上記ステップＳ１１に戻る。一方、露出用タイマのカウントｔがｔＥ／２に達したと判定した場合には、露出を終了した後（ステップＳ２０）、本フローチャートの撮影制御を終了する。
【００４０】
以上説明したように、本実施の形態によれば、手ぶれが生じても、手ぶれによる画像の乱れを軽減することができる。つまり、手ぶれの影響が、シャッタスピードが長くなればなるほど大きくなることは公知であるので、シャッタスピードを短縮することによって、手ぶれによる画像の乱れが改善できる。しかし、シャッタスピードを短くした場合には、夜景などのシーンでは正しく撮影できないことがある。そこで、本実施の形態では、シャッタスピードを適切な値に制限することで、手ぶれの影響を軽減でき、かつ、確実に撮影を行うことができる。
【００４１】
［第２の実施の形態］
前述した第１の実施の形態は、夜景時の手ぶれを対策するものである。しかし、夜景シーンでなくとも、図６の森の中における撮影のように背景の大部分が暗いシーンにおいては、シャッタスピードを短くして撮影した場合に撮影された画像が真っ暗になってしまう。本第２の実施の形態は、夜景シーンでない場合でも、前述したような手ぶれ対策を行えるようにしたものである。
【００４２】
つまり、本第２の実施の形態は、図５のフローチャートにおいて、ステップＳ１６の後に図７に示すフローチャートを加えたものである。
【００４３】
ステップＳ１乃至ステップＳ１６までの制御は、前述の第１の実施の形態と同様なので説明を省略する。ステップＳ１６の判定において手ぶれが生じていると判定された場合には、ステップＳ１３において検出した像信号、即ち、積分量の最大値ＩＮＴＭを検出する（ステップＳ３０）。また、積分量の平均値ＩＮＴＡを検出する（ステップＳ３１）。この最大値ＩＮＴＭと平均値ＩＮＴＡとの差が大きいときには、何れか一方に露出を合わせた場合に、他方が露出オーバーまたは露出アンダーとなり、撮影画面全体として適正な露出を得ることが困難である。このような状況は、図６に示すシーンや図２（Ｂ）に示す夜景シーンに相当する。手ぶれの対策を優先する場合には、暗い部分が黒く撮影されても、積分量の最大値付近に相当する部分は明るく撮影され、画像全体が真っ暗になってしまうことはない。
【００４４】
つまり、積分量の最大値ＩＮＴＭ及び積分量の平均値ＩＮＴＡを検出した後は、最大値ＩＮＴＭが平均値ＩＮＴＡに対して十分大きいか否かを判定する（ステップＳ３２）。最大値ＩＮＴＭが平均値ＩＮＴＡに対して十分大きくないと判定した場合には、図７のフローチャートを抜けて、図５のステップＳ１９以後の制御を行う。
【００４５】
一方、上記ステップＳ３２の判定において、最大値ＩＮＴＭが平均値ＩＮＴＡに対して十分大きいと判定した場合には、被写体距離Ｌが所定距離ＬＳＴよりも近いか否かを判定する（ステップＳ３３）。なお、所定距離ＬＳＴは、十分な光量のストロボ光が被写体に届く、「ストロボ到達距離」に相当する。この場合には、図６のようなシーンにおいて、被写体１３に図示しないストロボ装置によるストロボ光を照射して露出を補い、背景の明るい部分が優先される露出とする。これによって、人物１３の露出は適正になる。また、背景の多くの部分は黒くつぶれるが、背景の明るい部分は正しく露出されるので、背景が全て真っ暗になることは無く、シーンの雰囲気を残しつつ手ぶれの対策が可能となる。
【００４６】
上記ステップＳ３３の判定において、被写体距離Ｌが所定距離ＬＳＴよりも近いと判定した場合には、撮影シーンが「夜景相当」、つまり、夜景シーンに類するシーンであると判定した後（ステップＳ３４）、図７のフローチャートを抜けて、図５のステップＳ１８以後の制御を行う。
【００４７】
一方、上記ステップＳ３３の判定において、被写体距離Ｌが所定距離ＬＳＴよりも近くないと判定した場合には、平均値ＩＮＴＡが所定値Ｉ０よりも小さいか否かを判定する（ステップＳ３５）。平均値ＩＮＴＡが所定値Ｉ０よりも小さいと判定した場合には、撮影シーンが夜景相当のシーンであると判定した後（ステップＳ３４）、図７のフローチャートを抜けて、図５のステップＳ１８以後の制御を行う。一方、ＩＮＴＡが所定値Ｉ０以上であると判定した場合には、図７のフローチャートを抜けて、図５のステップＳ１９以後の制御を行う。
【００４８】
なお、本実施の形態を主要被写体の存在していない夜景シーンに適用した場合には、風景の撮影なので被写体距離Ｌが大きくなり、上記ステップＳ３３の判定から、ステップＳ３５に分岐するが、積分量の平均値ＩＮＴＡが小さいので、ステップＳ３５からステップＳ３４に分岐して、正しく夜景と判定される。
【００４９】
以上説明したように、本実施の形態によれば、夜景撮影に限らず、図６に示す森の中のようなシーンであっても、手ぶれの影響を対策できるカメラが提供できる。
【００５０】
以上実施の形態に基づいて本発明を説明したが、本発明は前述した実施の形態に限定されるものではなく、本発明の要旨の範囲内で種々の変形や応用が可能なことは勿論である。
【図面の簡単な説明】
【００５１】
【図１】図１（Ａ）は本発明の第１の実施の形態に係るカメラのブロック構成図であり、図１（Ｂ）はセンサアレイのモニタ範囲に対する説明図である。
【図２】図２（Ａ）は昼光下の撮影画面を例示する図であり、図２（Ｂ）は夜景時撮影画面を例示する図である。
【図３】図３（Ａ）はカメラの左右方向に手ぶれが生じた場合の像信号の変化を表す分布図であり、図３（Ｂ）はカメラの上下方向に手ぶれが生じた場合の像信号の変化を表す分布図である。
【図４】図４（Ａ）は、積分量から平均光量を検出する方法を説明するための分布図であり、図４（Ｂ）は、積分量からＭＡＸ光量を検出する方法を説明するための分布図である。
【図５】本発明の第１の実施の形態に係るカメラの撮影制御について説明するためのフローチャートである。
【図６】夜景に相当する撮影シーンの例に対する説明図である。
【図７】本発明の第１の実施の形態に係るカメラの夜景判定について説明するためのフローチャートである。
【符号の説明】
【００５２】
１  演算制御部（ＣＰＵ）
２ａ，２ｂ  受光レンズ
３ａ，３ｂ  センサアレイ
４，８  アナログ／デジタル（Ａ／Ｄ）変換部
５  露出制御部
６  撮影レンズ
７  撮像素子
９  画像処理部
１０  メモリ
１１ａ，１１ｂ  スイッチ
１２  警告部
【図１】
2008146088.tif 000003
【図２】
2008146088.tif 000004
【図３】
2008146088.tif 000005
【図４】
2008146088.tif 000006
【図５】
2008146088.tif 000007
【図６】
2008146088.tif 000008
【図７】
2008146088.tif 000009